(57)【特許請求の範囲】
【請求項１】
建屋に形成される第１の昇降路、及びこの第１の昇降路を昇降する第１の乗かごを有する第１のエレベータと、前記第１の昇降路と平行して建屋に形成される第２の昇降路、及びこの第２の昇降路を昇降する第２の乗かごを有する第２のエレベータと、前記第１の乗かご及び前記第２の乗かごに係合される主索と、この主索が巻き掛けられる駆動シーブを有する巻上機とを備えたエレベータ装置において、
前記巻上機の鉛直投影が、前記第１の乗かごの鉛直投影と前記第２の乗かごの鉛直投影との間に位置するとともに、前記第１の昇降路及び前記第２の昇降路は、一部が重なるように段違いに形成され、かつ、前記巻上機は、最上階に位置した低層側エレベータの乗かご上端より低い高さ位置に設置され、低層側エレベータの乗かごが最上階に位置する時、高層側エレベータの乗かごが最下階に位置するように構成したことを特徴としたエレベータ装置。
【請求項２】
前記第１のエレベータの前記主索のローピング比率と、前記第２のエレベータの前記主索のローピング比率とを異なるものとしたことを特徴とした請求項１記載のエレベータ装置。
【発明の詳細な説明】
【技術分野】
【０００１】
本発明は、１つの巻上機で２つの乗かごを昇降させるエレベータ装置に関する。
【背景技術】
【０００２】
従来、１つの巻上機で２つの乗かごを昇降させるエレベータ装置にあっては、一方の昇降路の上部に機械室を設け、その機械室内に１台の巻上機を設置するとともに、その巻上機の両端に乗かごをそれぞれ配置し、これら２つの乗かごに巻上機に巻き掛けられる主索を連結させて駆動するようになっている。即ち、機械室を有さない側の昇降路最上部に主索ガイド用プーリを配置することで、２つの乗かごを１つの巻上機で駆動可能としたエレベータ装置を構成している。また、これら２つの乗かごは、それぞれ主索にて１：１のローピング比率で支持されており、主索の長さを調節することで様々な昇降行程の建屋に対応している（例えば、特許文献１参照）。
【特許文献１】米国特許第００３−２２１１７３号(図３)
【発明の開示】
【発明が解決しようとする課題】
【０００３】
しかしながら、従来のエレベータ装置では、２つの乗かごを駆動する巻上機を設置するため、昇降路の上部に機械室を設ける必要があった。
【０００４】
また、それぞれの乗かごは主索にて１：１のローピング比率で支持されているため、２つのエレベータの昇降行程は常に等しくなり、適用可能な建屋の条件が限定されていた。
【０００５】
本発明は、前述した従来技術における実状からなされたもので、その目的は、昇降路の上部に機械室を要することがなく、かつ、エレベータの昇降行程に自由度をもたせることのできるエレベータ装置を提供することにある。
【課題を解決するための手段】
【０００６】
前記目的を達成するために、本発明は、建屋に形成される第１の昇降路、及びこの第１の昇降路を昇降する第１の乗かごを有する第１のエレベータと、前記第１の昇降路と平行して建屋に形成される第２の昇降路、及びこの第２の昇降路を昇降する第２の乗かごを有する第２のエレベータと、前記第１の乗かご及び前記第２の乗かごに係合される主索と、この主索が巻き掛けられる駆動シーブを有する巻上機とを備えたエレベータ装置において、前記巻上機の鉛直投影が、前記第１の乗かごの鉛直投影と前記第２の乗かごの鉛直投影との間に位置するとともに、前記第１の昇降路及び前記第２の昇降路は、一部が重なるように段違いに形成され、かつ、前記巻上機は、最上階に位置した低層側エレベータの乗かご上端より低い高さ位置に設置され、低層側エレベータの乗かごが最上階に位置する時、高層側エレベータの乗かごが最下階に位置するように構成したことを特徴としている。
【０００７】
このように構成した本発明では、巻上機の鉛直投影を、第１の乗かごの鉛直投影と第２の乗かごの鉛直投影との間に位置させることにより、昇降路の上部に機械室を設けることなく巻上機を設置することができる。また、第１の昇降路及び第２の昇降路を一部が重なるように段違いに形成し、巻上機を、第１の乗かごの鉛直投影と第２の乗かごの鉛直投影との間で、かつ、最上階に位置した低層側エレベータの乗かご上端より低い高さ位置に設置する。これにより、第１のエレベータ及び第２のエレベータでそれぞれ異なる階層間をサービスすることが可能となる。
【００１０】
また、本発明では、前記第１のエレベータの前記主索のローピング比率と、前記第２のエレベータの前記主索のローピング比率とを異なるものとしたことを特徴としている。
【００１１】
このように構成した本発明では、第１のエレベータの主索のローピング比率と、第２のエレベータの主索のローピング比率とを異なるものとすることで、第１のエレベータの昇降行程と第２のエレベータの昇降行程とを異なるものとすることができる。
【発明の効果】
【００１２】
本発明によれば、１つの巻上機で２つの乗かごを昇降させるエレベータ装置にあって、昇降路の上部に機械室を設けることなく巻上機を設置することができ、これにより、高さ方向に制限のある建屋にも当該エレベータ装置を設置することが可能となる。
【００１３】
また、第１のエレベータの昇降行程と第２のエレベータの昇降行程とを異なるものとすることにより、エレベータの設計自由度を増し、ひいては顧客のニーズにより応じることができる。
【発明を実施するための最良の形態】
【００１４】
以下、本発明のエレベータ装置に係る実施の形態を図に基づいて説明する。
【００１５】
図１は本発明のエレベータ装置に係る一実施形態を示す全体構成図、図２は本エレベータ装置の平面図である。
【００１６】
本実施形態のエレベータ装置は、図１に示すように、建屋に形成される第１の昇降路１、及びこの第１の昇降路１を昇降する第１の乗かご２を有する第１のエレベータＡと、第１の昇降路１と平行しかつ一部が重なるように段違いに建屋に形成される第２の昇降路３、及びこの第２の昇降路３を昇降する第２の乗かご４を有する第２のエレベータＢと、第１の乗かご２及び第２の乗かご４に係合される主索５と、この主索５が巻き掛けられる駆動シーブ６ａを有する巻上機６とを備え、第１のエレベータＡが低層側エレベータ、第２のエレベータＢが高層側エレベータとなり、第１のエレベータＡの最上階と第２のエレベータＢの最下階とが同一階床となっている。
【００１７】
そして、前述した巻上機６は、図２に示すように、その鉛直投影が、第１の乗かごの鉛直投影と第２の乗かごの鉛直投影との間に位置にあって重ならないように配置されるとともに、図１に示すように、最上階に位置した低層側エレベータ、即ち第１のエレベータＡの乗かご２上端より低い高さ位置に設置される。なお、巻上機６は図示しない固定台座に支持されて所定位置に設置されている。
【００１８】
また、第１のエレベータＡには、第１の昇降路１の頂部に設けられ、主索５の一端が固定されるロープヒッチ７と、第１の乗かご２下部に取付けられ、主索５が巻き掛けられるかご下プーリ８ａ、８ｂと、第１の昇降路１の頂部に設けられ、主索５が巻き掛けられるプーリ９とが備えられているとともに、第２のエレベータＢには、第２の昇降路３の頂部に併設され、主索５が巻き掛けられるプーリ１０ａ、１０ｂと、第２の乗かご４上部に取付けられ、主索５が巻き掛けられるかご上プーリ１１と、第２の昇降路３の頂部に併設され、主索５が巻き掛けられるプーリ１２ａ、１２ｂと、第２の乗かご４下部に設けれ、主索５の他端が固定されるロープヒッチ１３とが備えられている。したがって、主索５は、ロープヒッチ７から第１の乗かご２下部に設けられたかご下プーリ８ａ、８ｂを通り、第１の昇降路１頂部のプーリ９を経由して巻上機６の駆動シーブ６ａに至る。さらに、この主索５は折り返すように第２の昇降路３頂部に取付けられたプーリ１０ａ、１０ｂを経由して、第２の乗かご４上部に設けられたかご上プーリ１１に至る。その後、折り返すように第２の昇降路３頂部に設けられたプーリ１２ａ、１２ｂを通過し、次いで、第２の乗かご４とロープヒッチ１３で連結される。これにより、第１のエレベータＡにあって第１の乗かご２は主索５にて２：１のローピング比率で支持されるとともに、第２のエレベータＢにあって第２の乗かご４は主索５にて３：１のローピング比率で支持され、第１のエレベータＡの昇降行程Ａ１に対し第２のエレベータＢの昇降行程Ｂ１は約３割短くなる。
【００１９】
本実施形態にあっては、図１で実線にて示すように、第１の乗かご２が第１のエレベータＡの最下階、第２の乗かご４が第２のエレベータＢの最上階にある状態から巻上機６を駆動し、図１で点線にて示すように、第１の乗かご２を第１のエレベータＡの最上階に位置させると、第２の乗かご４は第２のエレベータＢの最下階に位置する。そして、前述したように第１のエレベータＡの最上階と第２のエレベータＢの最下階とが同一階床となっていることから、第１のエレベータＡと第２のエレベータＢとの間で乗り継ぎが可能となる。
【００２０】
本実施形態によれば、１つの巻上機６で２つの乗かご２、４を昇降させるエレベータ装置にあって、昇降路の上部に機械室を設けることなく巻上機６を設置することができ、これにより、高さ方向に制限のある建屋にも当該エレベータ装置を設置することが可能となる。また、第１のエレベータＡの主索５のローピング比率と、第２のエレベータＢの主索５のローピング比率とを異なるものとすることにより、第１のエレベータＡの昇降行程Ａ１と第２のエレベータＢの昇降行程Ｂ１とを異なるものとすることができ、これによって、エレベータの設計自由度を増し、ひいては顧客のニーズにより応じることができる。
【００２１】
なお、本実施形態では、第１のエレベータＡのローピング比率を２：１、第２のエレベータＢのローピング比率を３：１としたが、本発明はこれに限らず、建屋の施工条件に応じてその比率を任意に設定することができる。
【図面の簡単な説明】
【００２２】
【図１】本発明のエレベータ装置に係る一実施形態を示す全体構成図である。
【図２】本エレベータ装置の平面図である。
【符号の説明】
【００２３】
１  第１の昇降路
２  第１の乗かご
３  第２の昇降路
４  第２の乗かご
５  主索
６  巻上機
６ａ  駆動シーブ
７  ロープヒッチ
８ａ、８ｂ  かご下プーリ
９  プーリ
１０ａ、１０ｂ  プーリ
１１  かご上プーリ
１２ａ、１２ｂ  プーリ
１３  ロープヒッチ
Ａ  第１のエレベータ
Ａ１  第１のエレベータの昇降行程
Ｂ  第２のエレベータ
Ｂ１  第２のエレベータの昇降行程
【図１】
0005091688.tif 000002
【図２】
0005091688.tif 000003